(57)【要約】【課題】押し釦の押下時の回動方向を時計回り、反時計回りのいずれにも対応させると共に、押し釦の回動運動を安定させた小型検知スイッチを提供する。【解決手段】押し釦２の傾斜面２２ａがＸ１方向から荷重を受けた場合は、第１のガイド溝部１３ａの上端に係止した第１の凸部２０ａを支点としてコイルばね４のコイル部４ｃを収納室３の下方に押しつける方向（時計回り）に回動する（二点鎖線Ｂ２，Ｃ２で示す）。第２のガイド溝部１３ｂは、このときの第２の凸部２０ｂの軌跡に一致するように形成される。傾斜面２２ｂに力を加えられた押し釦２は、第２のガイド溝部１３ｂの上端に係止した第２の凸部２０ｂを支点としてコイルばね４のコイル部４ｃを収納室３の下方に押しつける方向（反時計回り）に回動する。第１のガイド溝部１３ａは、このときの第１の凸部２０ａの軌跡に一致するように形成される。【選択図】        図１
2004206971.tif 000002
【特許請求の範囲】
【請求項１】
外郭を形成するボディと、コイル部及び前記コイル部の両端から各々一体連接してある第１の可動接触部、第２の可動接触部から成り、前記ボディ内に形成した収納室の底部の両側内壁面間に圧縮した形で配設されたコイルばねと、前記ボディによって回動自在に支点を支持され、下端が前記コイル部によって押し上げられて上端が前記収納室の内外に貫通するように前記ボディの上面に形成した貫通孔を介して前記ボディ外へ突出する押し釦と、前記押し釦の押下によって移動する前記第１の可動接触部と接触する第１の導電部と、前記第２の可動接触部と常時接触する第２の導電部とから構成される小型検知スイッチにおいて、
前記押し釦の一端側側面に形成された第１の凸部、及び他端側側面に形成された第２の凸部と、前記ボディに形成されて前記第１の凸部と当接してその摺動を案内する第１のガイド溝部、及び前記第２の凸部と当接してその摺動を案内する第２のガイド溝部とを具備して、
前記押し釦は、一端方向から押下された場合、前記第１のガイド溝部の上端に係止した前記第１の凸部を支点として回動し、他端方向から押下された場合、前記第２のガイド溝部の上端に係止した前記第２の凸部を支点として回動して、
前記第１のガイド溝部は、前記押し釦が前記第２の凸部を支点として回動した場合に前記第１の凸部が摺動する軌跡と同一形状であり、前記第２のガイド溝部は、前記押し釦が前記第１の凸部を支点として回動した場合に前記第２の凸部が摺動する軌跡と同一形状であることを特徴とする小型検知スイッチ。
【発明の詳細な説明】
【０００１】
【発明の属する技術分野】
本発明は、小型検知スイッチに関するものである。
【０００２】
【従来の技術】
従来の小型検知スイッチの構造について、図７に側面断面図を示す。外郭を形成するボディ１は、樹脂成形された箱状体から形成され、上面に挿通孔８を設け、内部空間を収納室３としている。
【０００３】
収納室３の左端面と右端面には第１の導電部１０ａ、及び第２の導電部１０ｂが各々設けられ、第１の導電部１０ａ、第２の導電部１０ｂは、ボディ１の端面より外部に突出している端子５ａ，５ｂと各々一体形成されている。また、導電部１０ａ，１０ｂの各収納室３側の一端は、下方に折り曲げられ、ボディ１と一体形成された絶縁部１２は、第１の導電部１０ａのボディ１側上面を一部覆うように備えられる。
【０００４】
コイルばね４は、コイル部４ｃと、コイル部４ｃのばね線材の両端を延長した第１の可動接触部４ａと第２の可動接触部４ｂとからなり、第１の可動接触部４ａ及び第２の可動接触部４ｂの各先端はコイル部４ｃの軸方向に折り曲げて形成されて、収納室３の両側内壁面間に圧縮した形で配設される。そして、第２の可動接触部４ｂが第２の導電部１０ｂ上に接触し、第１の可動接触部４ａが絶縁部１２上に接触するように配され（二点鎖線Ａ１１で示す）、この状態では、端子５ａ，５ｂ間は導通しておらず、スイッチはオフ状態となっている。
【０００５】
ボディ１の右端側の側壁面には円形の開口部（図示無し）が設けられ、押し釦６の右端側の側面に設けた円形の凸部６０がその開口部に嵌合することで押し釦６はボディ１に枢支されて、押し釦６は円形の凸部６０を支点として挿通孔８を回動自在に挿通する。押し釦６は押下時に反時計回りに回動する右操作タイプで構成されている。
【０００６】
押し釦６に押下力が作用していないときは、コイルばね４の捩じりの復帰によって、押し釦６の下端がコイル部４ｃの頂点部によって上方に押し上げられ、押し釦６の押下部６１をボディ１の外部に突出させている（二点鎖線Ａ１２で示す）。
【０００７】
次に、スイッチオン時の動作について以下説明する。押下部６１を押下された押し釦６は、凸部６０を支点としてコイルばね４のコイル部４ｃを収納室３の下方に押しつける方向（反時計回り）に回動する（二点鎖線Ｂ１２，Ｃ１２で示す）。コイルばね４は捩じりながら、コイル部４ｃが収納室３の下方に移動するにつれ（二点鎖線Ｂ１１で示す）、コイルばね４の第１の可動接触部４ａは、絶縁部１２上を離れ、第１の導電部１０ａ上に移動し、第１の導電部１０ａの折り曲げられた傾斜片に沿って、コイルばね４の捩じりの復帰力によって押しつけられる。第２の可動接触部４ｂも、第２の導電部１０ｂの折り曲げられた傾斜片に沿って、コイルばね４の捩じりの復帰力によって押しつけられる（実線Ｃ１１で示す）。このように押し釦６を押下した状態では端子５ａ，５ｂ間が導通し、スイッチはオン状態となる。
【０００８】
押し釦６への押下力が解除されると、コイルばね４の捩じりの復帰によって、押し釦６の下端がコイル部４ｃの頂点部と当接して上方に押し上げられ、押下部６１をボディ１の外部に突出させている。そして、コイルばね４の第１の可動接触部４ａは絶縁部１２に乗り上げ、第１の導電部１０ａから離れて再び絶縁部１２と接触する。第２の可動接触部４ｂは、導電部１０ｂ上の元の位置（平坦部）に戻る。このように押し釦６に押下力が作用していない状態では端子５ａ，５ｂ間が遮断され、スイッチはオフ状態となる。
【０００９】
また、図８に側面断面図を示す小型検知スイッチは、押し釦６の押下時に時計回りに回動する左操作タイプを示しており、ボディ１の左端側の両側壁面には円形の開口部（図示無し）が設けられ、押し釦６の左端側の側面に設けた円形の凸部６０がその開口部に嵌合することで押し釦６はボディ１に枢支されて、押し釦６は円形の凸部６０を支点として挿通孔８を回動自在に挿通する。なお、図８のＡ１３，Ｂ１３，Ｃ１３，Ａ１４，Ｂ１４，Ｃ１４は、図７のＡ１１，Ｂ１１，Ｃ１１，Ａ１２，Ｂ１２，Ｃ１２に相当する。その他の構成は図７の右操作タイプと同様であり、説明は省略する。
【００１０】
しかし上記小型検知スイッチは、押し釦６が回動する支点がボディ１の右端側と左端側とのうちいずれか一箇所にしかなく、押し釦６はこの支点を中心に回動するので、押し釦６の押下時の回動方向は、支点がボディ１の右端側にある構成では反時計回り、支点がボディ１の左端側にある構成では時計回りとなる。したがって、スイッチを動作させるための押し釦１の操作方向は必然的に一方向に決まり、使い勝手の悪いものだった。
【００１１】
そこで、押し釦が回動する支点をボディの右端側と左端側との２箇所に設けて、押し釦の操作方向に応じていずれか一方の支点を回動中心とすることで、押し釦１押下時の回動方向を時計回り、反時計回りのいずれにも対応させた小型検知スイッチが提案された。（例えば、特許文献１参照。）
【００１２】
【特許文献１】
特開２００２−４２６１０号公報（３頁右欄第４６行〜４頁左欄第２４行、５頁左欄第３０行〜右欄第４行、図１〜図１２）
【００１３】
【発明が解決しようとする課題】
上記従来の技術として特許文献１で開示されている小型検知スイッチは、２箇所に設けた押し釦の回動の支点が同時に下方向に移動するもので、回動運動が不安定になるという問題があった。
【００１４】
本発明は、上記事由に鑑みてなされたものであり、その目的は、押し釦の押下時の回動方向を時計回り、反時計回りのいずれにも対応させると共に、押し釦の回動運動を安定させた小型検知スイッチを提供することにある。
【００１５】
【課題を解決するための手段】
請求項１の発明は、外郭を形成するボディと、コイル部及び前記コイル部の両端から各々一体連接してある第１の可動接触部、第２の可動接触部から成り、前記ボディ内に形成した収納室の底部の両側内壁面間に圧縮した形で配設されたコイルばねと、前記ボディによって回動自在に支点を支持され、下端が前記コイル部によって押し上げられて上端が前記収納室の内外に貫通するように前記ボディの上面に形成した貫通孔を介して前記ボディ外へ突出する押し釦と、前記押し釦の押下によって移動する前記第１の可動接触部と接触する第１の導電部と、前記第２の可動接触部と常時接触する第２の導電部とから構成される小型検知スイッチにおいて、前記押し釦の一端側側面に形成された第１の凸部、及び他端側側面に形成された第２の凸部と、前記ボディに形成されて前記第１の凸部と当接してその摺動を案内する第１のガイド溝部、及び前記第２の凸部と当接してその摺動を案内する第２のガイド溝部とを具備して、前記押し釦は、一端方向から押下された場合、前記第１のガイド溝部の上端に係止した前記第１の凸部を支点として回動し、他端方向から押下された場合、前記第２のガイド溝部の上端に係止した前記第２の凸部を支点として回動して、前記第１のガイド溝部は、前記押し釦が前記第２の凸部を支点として回動した場合に前記第１の凸部が摺動する軌跡と同一形状であり、前記第２のガイド溝部は、前記押し釦が前記第１の凸部を支点として回動した場合に前記第２の凸部が摺動する軌跡と同一形状であることを特徴とする。
【００１６】
【発明の実施の形態】
以下、本発明の実施の形態を図面に基づいて説明する。
【００１７】
本実施形態の小型検知スイッチは、図１の側面断面図、図３の側面外観図に示すように、外郭を形成するボディ１は押し釦２の支点を支持する構造を有し、押し釦２を操作することで、押し釦２の回転方向の動きが内部のコイルばね４を動かし、スイッチの開閉を行うもので、ボディ１にはカバー７が取り付けられる。ボディ１の構造は図４（ａ）〜（ｃ）、押し釦２の構造は図５（ａ）〜（ｃ）、カバー７の構造は図６（ａ）〜（ｃ）に各々示す。
【００１８】
ボディ１は、一方の側面を開口して樹脂成形された箱状体から形成され、上面に切り欠き部８’を設け、内部空間を収納室３としている。収納室３の左端面と右端面には第１の導電部１０ａ、及び第２の導電部１０ｂが各々設けられ、第１の導電部１０ａ、第２の導電部１０ｂは、ボディ１の端面より外部に突出している端子５ａ，５ｂと各々一体形成されている。また、導電部１０ａ，１０ｂの各収納室３側の一端は、下方に折り曲げられ、ボディ１と一体形成された絶縁部１２は、第１の導電部１０ａのボディ１側上面を一部覆うように備えられる。また、内側面の両端上部から下方向に向かいながら両端方向に湾曲した第１のガイド溝部１３ａ，第２のガイド溝部１３ｂが形成されている。なお、ボディ１の外側の側面には、基板に固定するために用いるボス９を備えている。
【００１９】
コイルばね４は、コイル部４ｃと、コイル部４ｃのばね線材の両端を延長した第１の可動接触部４ａと第２の可動接触部４ｂとからなり、第１の可動接触部４ａ及び第２の可動接触部４ｂの各先端はコイル部４ｃの軸方向に折り曲げて形成されて、収納室３の両側内壁面間に圧縮した形で配設される。そして、第２の可動接触部４ｂが第２の導電部１０ｂ上に接触し、第１の可動接触部４ａが絶縁部１２上に接触するように配され（二点鎖線Ａ１で示す）、この状態では、端子５ａ，５ｂ間は導通しておらず、スイッチはオフ状態となっている。
【００２０】
押し釦２は略矩形状に形成されており、その上端側は方向の異なる一対の傾斜面２２ａ，２２ｂで構成され、下端側は丸みを帯びた形状を成している。そして、押し釦２の両端部には、側面より突出した円柱状の第１の凸部２０ａ，第２の凸部２０ｂが各々形成されている。第１の凸部２０ａ，第２の凸部２０ｂの各一端は、ボディ１の第１のガイド溝部１３ａ，第２のガイド溝部１３ｂに各々当接して摺動可能であり、その摺動軌跡は第１のガイド溝部１３ａ，第２のガイド溝部１３ｂによって各々案内される。
【００２１】
また、中央片７０、側片７１ａ，７１ｂで断面略コの字に形成されたカバー７は、その中央片７０をボディ１の一方の側面に形成した開口部に覆設すると共に、中央片７０の側端部とボディ１の切り欠き部８’とで挿通孔８を構成し、側片７１ａ，７１ｂの中央に各々形成した矩形の嵌合孔７２ａ，７２ｂを、ボディ１の両端面に各々形成した矩形の嵌合片１１ａ，１１ｂに嵌め込むことで、ボディ１に取り付けられる。このとき、第１の凸部２０ａ，第２の凸部２０ｂの各他端はカバー７の中央片７０の内面に当接する。
【００２２】
図１で押し釦２に押下力が作用していないときは、コイルばね４の捩じりの復帰によって、押し釦２の下端がコイル部４ｃの頂点部によって上方に押し上げられ、押し釦２の押下部２１をボディ１の外部に突出させており（二点鎖線Ａ２で示す）、第１の凸部２０ａ，第２の凸部２０ｂは第１のガイド溝部１３ａ，第２のガイド溝部１３ｂの各上端に係止している。このときスイッチはオフ状態となっている。
【００２３】
押し釦２は、その押下方向によって円柱状の第１の凸部２０ａまたは第２の凸部２０ｂを支点として挿通孔８を回動自在に挿通することで、押し釦２の押下時の回動方向は時計回り、反時計回りのいずれにも対応できるもので、以下スイッチオン時の動作について説明する。押し釦２の傾斜面２２ａがＸ１方向から荷重を受けた場合、第１のガイド溝部１３ａの上端に係止した第１の凸部２０ａを支点としてコイルばね４のコイル部４ｃを収納室３の下方に押しつける方向（時計回り）に回動し（二点鎖線Ｂ２，Ｃ２で示す）、第２の凸部２０ｂは第２のガイド溝部１３ｂを下方に摺動する。第２のガイド溝部１３ｂは、第１のガイド溝部１３ａの上端に係止した第１の凸部２０ａを支点として押し釦２が回動するときの第２の凸部２０ｂが摺動する軌跡に一致するように形成されており、押し釦２の両端方向のガタを防止できる。
【００２４】
そして、コイルばね４は捩じりながら、コイル部４ｃが収納室３の下方に移動するにつれ（二点鎖線Ｂ１で示す）、コイルばね４の第１の可動接触部４ａは、絶縁部１２上を離れ、第１の導電部１０ａ上に移動し、第１の導電部１０ａの折り曲げられた傾斜片に沿って,コイルばね４の捩じりの復帰力によって押しつけられる。第２の可動接触部４ｂも、第２の導電部１０ｂの折り曲げられた傾斜片に沿って、コイルばね４の捩じりの復帰力によって押しつけられる（実線Ｃ１１で示す）。このように押し釦２を押下した状態では端子５ａ，５ｂ間が導通し、スイッチはオン状態となる。
【００２５】
押し釦２への押下力が解除されると、コイルばね４の捩じりの復帰によって、押し釦２の下端がコイル部４ｃの頂点部と当接して上方に押し上げられ、第２の凸部２０ｂは第２のガイド溝部１３ｂを上方に摺動して第２のガイド溝部１３ｂの上端に係止し、押下部２１はボディ１の外部に突出する。そして、コイルばね４の第１の可動接触部４ａは絶縁部１２に乗り上げ、第１の導電部１０ａから離れて再び絶縁部１２と接触する。第２の可動接触部４ｂは、導電部１０ｂ上の元の位置（平坦部）に戻る。このように押し釦２に押下力が作用していない状態では端子５ａ，５ｂ間が遮断され、スイッチはオフ状態となる。
【００２６】
次に図２に示すように、ボディ１の外部に突出した押し釦２の押下部２１（二点鎖線Ａ４で示す）の傾斜面２２ｂがＸ２方向から荷重を受けた場合は、押し釦２は第２のガイド溝部１３ｂの上端に係止した第２の凸部２０ｂを支点としてコイルばね４のコイル部４ｃを収納室３の下方に押しつける方向（反時計回り）に回動する（二点鎖線Ｂ４，Ｃ４で示す）。第１のガイド溝部１３ａは、第２のガイド溝部１３ｂの上端に係止した第２の凸部２０ｂを支点として押し釦２が回動するときの第１の凸部２０ａが摺動する軌跡に一致するように形成されており、回動時の押し釦２の両端方向のガタを防止できる。上記以外のスイッチオン、オフの動作は前述の図１の動作と同様であり、図２のＡ３，Ｂ３，Ｃ３，Ａ４，Ｂ４，Ｃ４は、図１のＡ１，Ｂ１，Ｃ１，Ａ２，Ｂ２，Ｃ２に相当するもので、説明は省略する。
【００２７】
このように構成された本実施形態の小型検知スイッチは、第１の凸部２０ａ（第２の凸部２０ｂ）が、第１のガイド溝部１３ａ（第２のガイド溝部１３ｂ）の上端に係止した状態で回動の支点となって、第２の凸部２０ｂ（第１の凸部２０ａ）が第２のガイド溝部１３ｂ（第１のガイド溝部１３ａ）に沿って移動するもので、第１の凸部２０ａ，第２の凸部２０ｂが同時に、第１のガイド溝部１３ａ，第２のガイド溝部１３ｂを移動することが無く、その回動運動は安定したものとなる。
【００２８】
【発明の効果】
請求項１の発明は、外郭を形成するボディと、コイル部及び前記コイル部の両端から各々一体連接してある第１の可動接触部、第２の可動接触部から成り、前記ボディ内に形成した収納室の底部の両側内壁面間に圧縮した形で配設されたコイルばねと、前記ボディによって回動自在に支点を支持され、下端が前記コイル部によって押し上げられて上端が前記収納室の内外に貫通するように前記ボディの上面に形成した貫通孔を介して前記ボディ外へ突出する押し釦と、前記押し釦の押下によって移動する前記第１の可動接触部と接触する第１の導電部と、前記第２の可動接触部と常時接触する第２の導電部とから構成される小型検知スイッチにおいて、前記押し釦の一端側側面に形成された第１の凸部、及び他端側側面に形成された第２の凸部と、前記ボディに形成されて前記第１の凸部と当接してその摺動を案内する第１のガイド溝部、及び前記第２の凸部と当接してその摺動を案内する第２のガイド溝部とを具備して、前記押し釦は、一端方向から押下された場合、前記第１のガイド溝部の上端に係止した前記第１の凸部を支点として回動し、他端方向から押下された場合、前記第２のガイド溝部の上端に係止した前記第２の凸部を支点として回動して、前記第１のガイド溝部は、前記押し釦が前記第２の凸部を支点として回動した場合に前記第１の凸部が摺動する軌跡と同一形状であり、前記第２のガイド溝部は、前記押し釦が前記第１の凸部を支点として回動した場合に前記第２の凸部が摺動する軌跡と同一形状であるので、押し釦の押下時の回動方向を時計回り、反時計回りのいずれにも対応させながら、一方の凸部が一方のガイド溝部の上端に係止した状態で回動の支点となって、他方の凸部が他方のガイド溝部に沿って移動し、第１の凸部，第２の凸部が同時に第１のガイド溝部，第２のガイド溝部を移動することが無く、押し釦の回動運動を安定させることができるという効果がある。
【図面の簡単な説明】
【図１】本発明の実施形態の小型検知スイッチについて、時計回りの回動動作を説明する側面断面図である。
【図２】同上の反時計回りの回動動作を説明する側面断面図である。
【図３】同上の側面外観図である。
【図４】（ａ）同上のボディの側面図である。
（ｂ）同上のボディの端面図である。
（ｃ）同上のボディの上面図である。
【図５】（ａ）同上の押し釦の側面図である。
（ｂ）同上の押し釦の端面図である。
（ｃ）同上の押し釦の上面図である。
【図６】（ａ）同上のカバーの側面図である。
（ｂ）同上のカバーの端面図である。
（ｃ）同上のカバーの上面図である。
【図７】従来の小型検知スイッチについて、反時計回りの回動動作を説明する側面断面図である。
【図８】同上の時計回りの回動動作を説明する側面断面図である。
【符号の説明】
１      ボディ
２      押し釦
３      収納室
４      コイルばね
４ｃ    コイル部
１３ａ  第１のガイド溝部
１３ｂ  第２のガイド溝部
２０ａ  第１の凸部
２０ｂ  第２の凸部
【図１】
2004206971.tif 000003
【図２】
2004206971.tif 000004
【図３】
2004206971.tif 000005
【図４】
2004206971.tif 000006
【図５】
2004206971.tif 000007
【図６】
2004206971.tif 000008
【図７】
2004206971.tif 000009
【図８】
2004206971.tif 000010